(57)【要約】【課題】各ランプの周囲温度に対する発光効率を容易に調整でき、周囲温度の低温から高温までの広い範囲で安定して発光効率を保つことができる照明器具を提供する。【解決手段】放電ガスが封入されたバルブ１１１及び、バルブ１１１表面から内部へ向けて突出するキャビティ１１２及び、キャビティ１１２の底面１１２ａから開口側へ向けて突出し放電媒体１１７が収納される排気管１１３及び、高周波電流が通電されることで電磁界を発生しバルブ１１１内に放電を発生させる誘導コイル１２３及び、誘導コイル１２３で発生した熱をキャビティ１１２外へ排出する熱伝導体１２１からなる２個の無電極放電ランプ１Ａ，１Ｂと、各誘導コイル１２３に電力を供給する高周波電源回路３とを備え、各無電極放電ランプ１Ａ，１Ｂにそれぞれ設けられた放電媒体１１７は、ランプ点灯時に互いに温度の異なる位置に設けられる。【選択図】図１
2010123456.tif 000002
【特許請求の範囲】
【請求項１】
透光性材料から形成されて内部に放電ガスが封入されたバルブ及び、バルブ表面から内部へ向けて突出するキャビティ及び、キャビティの底面からキャビティの開口側へ向けて突出し水銀を含む放電媒体が内部に収納される排気管及び、キャビティ内に配設されて高周波電流が通電されることで電磁界を発生し当該電磁界によってバルブ内に放電を発生させる誘導コイル及び、キャビティ内に挿入され誘導コイルで発生した熱をキャビティ外へ排出する熱伝導体からなる複数の無電極放電ランプと、
前記複数の無電極放電ランプの各誘導コイルに高周波電力を供給する高周波電源回路とを備え、
各無電極放電ランプに設けられた前記放電媒体の内の少なくとも１つは、他の無電極放電ランプに設けられた放電媒体とはランプ点灯時に温度の異なる位置に設けられることを特徴とする照明器具。
【請求項２】
透光性材料から形成されて内部に放電ガスが封入されたバルブ及び、バルブ表面から突出し水銀を含む放電媒体が内部に収納される突部及び、バルブ内に配設されるフィラメント及び、フィラメントの両端に各々接続される電極からなる複数の放電ランプと、
前記複数の放電ランプの各電極に電力を供給する電源回路とを備え、
各放電ランプに設けられた前記放電媒体の内の少なくとも１つは、他の放電ランプに設けられた放電媒体とはランプ点灯時に温度の異なる位置に設けられることを特徴とする照明器具。
【請求項３】
前記複数のランプは、明るさの温度特性が各々異なることを特徴とする請求項１または２記載の照明器具。
【請求項４】
前記放電媒体は、水銀と金属との合金であるアマルガムとして設けられ、合金に含まれる金属の種類が互いに異なる複数のアマルガムの内のいずれか１つを各ランプが備え、前記複数のアマルガムは、各々少なくとも１つのランプに設けられることを特徴とする請求項１乃至３いずれか記載の照明器具。
【請求項５】
前記放電媒体は、水銀と金属との合金であるアマルガムまたは純水銀として設けられ、前記アマルガムを備えるランプと前記純水銀を備えるランプとがそれぞれ少なくとも１つ設けられることを特徴とする請求項１乃至３いずれか記載の照明器具。
【発明の詳細な説明】
【技術分野】
【０００１】
本発明は、照明器具に関するものである。
【背景技術】
【０００２】
従来から、両端に電極を配置した直管状あるいは丸管状の低圧放電蛍光ランプが知られている。これらの蛍光ランプは、バルブ内に水銀と希ガスを封入し、電極から電子を供給することによって、バルブ内で放電させる。そして放電によって励起した水銀原子から放射された紫外線が、蛍光体によって可視光に変換される構造となっている。このタイプの蛍光ランプは、一般家庭用の照明として広く普及している。
【０００３】
これに対してガラス製のバルブに電極を持たない無電極蛍光ランプと呼ばれるものがある。無電極蛍光ランプは、ガラスなどの透光性材料からなり、内部に希ガス及び水蒸気化しうる金属（例えば水銀）が封入されると共に内部に落ち窪んだキャビティを有するバルブと、当該バルブの内壁に塗布された蛍光体膜と、棒状のフェライトコアの外周を巻回してキャビティ内に収納される誘導コイルとを備える。
【０００４】
そして、前記誘導コイルに高周波電源を流すことによりバルブ内に高周波電磁界が発生し、その高周波電磁界によってバルブに封入されている希ガスが放電する。更に、その放電によってバルブが過熱されて水銀が蒸発することで放電空間内の水銀蒸気が励起されて紫外線を放出し、当該紫外線がバルブの内壁に塗布されている蛍光体膜を通る際に可視光に変換される。このように無電極蛍光ランプは、バルブに電極を持たないため電極切れやエミッタの消耗による不点灯が起こらず、一般の蛍光ランプと比較して長寿命という特徴を有している。
【０００５】
また、上記のような低圧放電蛍光ランプ及び無電極蛍光ランプにおいては、広範な温度環境で安定した光出力を得ることを目的として、金属と水銀との合金からなるアマルガムをバルブ内に封入し、アマルガムが配置されている箇所の温度における飽和蒸気圧で放電空間内の水銀蒸気圧を制御する。
【０００６】
そして、上記のような低圧放電蛍光ランプ及び無電極蛍光ランプにおいて大光束を得るためには、多灯点灯が用いられる。多灯点灯することによって、目標となる大光束を確保することが可能となる。
【０００７】
加えて、前記低圧放電蛍光ランプまたは、無電極蛍光ランプを備える照明器具において、周囲温度の低温から高温までの広い範囲で安定した発光効率を得るために、各バルブにおいて互いに異なる種類の放電媒体を収納した複数のランプを１つの器具本体内に収納したものが提供されている（例えば、特許文献１参照）。当該照明器具は、各バルブ内に収納される放電媒体の種類の違いによって、周囲温度が高い場合に発光効率が高くなる放電ランプと周囲温度が低い場合に発光効率が高くなる放電ランプとを備え、各ランプが互いに補完し合うことで照明器具全体として安定した発光効率を保っている。
【特許文献１】特開２００１−２８３６１０号公報
【発明の開示】
【発明が解決しようとする課題】
【０００８】
しかしながら、上記従来より用いられている照明器具では、周囲温度の変動に対して照明器具全体として所望の発光効率を得るために、各ランプが備える放電媒体の種類を変えることで各ランプの発光効率を調整する必要があるが、周囲温度の変動に対して各ランプごとの放電媒体に含まれる金属の種類や、水銀に対する金属の含有量を変えることで各ランプを所望の発光効率に調整することが困難であるという問題があった。
【０００９】
本発明は、上記事由に鑑みてなされたものであり、その目的は、各ランプの周囲温度に対する発光効率を容易に調整でき、周囲温度の低温から高温までの広い範囲で安定して発光効率を保つことができる照明器具を提供することにある。
【課題を解決するための手段】
【００１０】
請求項１の発明は、透光性材料から形成されて内部に放電ガスが封入されたバルブ及び、バルブ表面から内部へ向けて突出するキャビティ及び、キャビティの底面からキャビティの開口側へ向けて突出し水銀を含む放電媒体が内部に収納される排気管及び、キャビティ内に配設されて高周波電流が通電されることで電磁界を発生し当該電磁界によってバルブ内に放電を発生させる誘導コイル及び、キャビティ内に挿入され誘導コイルで発生した熱をキャビティ外へ排出する熱伝導体からなる複数の無電極放電ランプと、前記複数の無電極放電ランプの各誘導コイルに高周波電力を供給する高周波電源回路とを備え、各無電極放電ランプに設けられた前記放電媒体の内の少なくとも１つは、他の無電極放電ランプに設けられた放電媒体とはランプ点灯時に温度の異なる位置に設けられることを特徴とする。
【００１１】
この発明によれば、各ランプの周囲温度に対する発光効率を容易に調整でき、周囲温度の低温から高温までの広い範囲で安定して発光効率を保つことができる。
【００１２】
請求項２の発明は、透光性材料から形成されて内部に放電ガスが封入されたバルブ及び、バルブ表面から突出し水銀を含む放電媒体が内部に収納される突部及び、バルブ内に配設されるフィラメント及び、フィラメントの両端に各々接続される電極からなる複数の放電ランプと、前記複数の放電ランプの各電極に電力を供給する電源回路とを備え、各放電ランプに設けられた前記放電媒体の内の少なくとも１つは、他の放電ランプに設けられた放電媒体とはランプ点灯時に温度の異なる位置に設けられることを特徴とする。
【００１３】
この発明によれば、各ランプの周囲温度に対する発光効率を容易に調整でき、周囲温度の低温から高温までの広い範囲で安定して発光効率を保つことができる。
【００１４】
請求項３の発明は、請求項１または２の発明において、前記複数のランプは、明るさの温度特性が各々異なることを特徴とする。
【００１５】
この発明によれば、周囲温度の低温から高温までのより広い範囲で安定して発光効率を保つことができる。
【００１６】
請求項４の発明は、請求項１乃至３いずれかの発明において、前記放電媒体は、水銀と金属との合金であるアマルガムとして設けられ、合金に含まれる金属の種類が互いに異なる複数のアマルガムの内のいずれか１つを各ランプが備え、前記複数のアマルガムは、各々少なくとも１つのランプに設けられることを特徴とする。
【００１７】
この発明によれば、周囲温度の低温から高温までのより広い範囲で安定して発光効率を保つことができる。
【００１８】
請求項５の発明は、請求項１乃至３いずれかの発明において、前記放電媒体は、水銀と金属との合金であるアマルガムまたは純水銀として設けられ、前記アマルガムを備えるランプと前記純水銀を備えるランプとがそれぞれ少なくとも１つ設けられることを特徴とする。
【００１９】
この発明によれば、周囲温度の低温から高温までのより広い範囲で安定して発光効率を保つことができ、加えて、純水銀を用いていることで、放電媒体にアマルガムのみを用いている場合と比べて良好な光の立ち上がり特性を確保することができる。
【発明の効果】
【００２０】
以上説明したように、本発明では、各ランプの周囲温度に対する発光効率を容易に調整でき、周囲温度の低温から高温までの広い範囲で安定して発光効率を保つことが可能な照明器具を提供することができるという効果がある。
【発明を実施するための最良の形態】
【００２１】
以下、本発明の実施の形態を図面に基づいて説明する。
【００２２】
（実施形態１）
本実施形態における照明器具Ａは、図１、２に示すように、透光性材料から内径１１０ｍｍの扁平な球状に形成されて内部に放電ガスが封入されたバルブ１１１及び、バルブ１１１表面から内部へ向けて突出するキャビティ１１２及び、キャビティ１１２の底面１１２ａからキャビティ１１２の開口側へ向けて突出し内部に放電媒体１１７が収納される排気管１１３からなるランプ部１１と、キャビティ１１２内に嵌装されるパワーカプラ部１２とからなる無電極放電ランプ１を器具本体２内に２つ備え、当該器具本体２内には２つの無電極放電ランプ１（１Ａ、１Ｂ）に加えて、当該二つの無電極放電ランプ１の各誘導コイル１２３に高周波電力を供給する高周波電源回路３が収納されている。
【００２３】
バルブ１１１は、内部にクリプトン、あるいはアルゴン等の希ガスが封入され、内壁に保護膜１１４と蛍光体膜１１５とが塗布されており、一端に開口部１１１ａが形成されている。また、開口部１１１ａ側のバルブ１１１表面には、周方向に沿って溝部１１１ｂが形成されており、溝部１１１ｂが口金１１９の内径に形成される突部１１９ａに嵌合されることでキャビティ１１２の開口が口金１１９に覆設される。
【００２４】
キャビティ１１２は、開口側にフランジ部１１２ｂが形成された有底円筒状に形成され、キャビティ１１２の底面１１２ａ略中央から開口側に向けて排気管１１３が形成されている。
【００２５】
そして、バルブ１１１の開口部１１１ａとキャビティ１１２のフランジ部１１２ｂとが溶着により密封される。この時、排気管１１３は密封されたバルブ１１内から空気を排気すると共に、水銀や希ガスなどの放電ガスを充填するために用いられる。
【００２６】
排気管１１３内の先端側には、内部に放電媒体１１７を収納する金属容器１１８が、２つのガラスロッド１１６によって上下から挟み込まれた状態で配設され、さらに、排気管１１３の所定の位置に形成される図示しない窪み部によってガラスロッド１１６の動きが規制されている。
【００２７】
放電媒体１１７は、鉄―ニッケル合金からなる金属容器１１８内に収納されており、ビスマスとインジウムとの合金からなる基本金属に５．０％の含有率で水銀を含有したアマルガム（Ｂｉ―Ｉｎ−Ｈｇ）である。そして、放電媒体１１７は、ランプ点灯時に水銀を放出することでバルブ１１１内の水銀蒸気圧を制御する。
【００２８】
パワーカプラ部１２は、バルブ１１１の排気管１１３に挿通される円筒状の熱伝導体１２１と、熱伝導体１２１の一端側に挿通嵌装されるコア１２２と、コア１２２の外周を巻回する誘導コイル１２３と、熱伝導体１２１の他端側に挿通嵌装されるベース１２４とを備える。
【００２９】
熱伝導体１２１は、銅等の良好な熱伝導率を有する金属から略円筒状に形成され、一端がコア１３２を挿通して誘導コイル１３３で発生する熱をキャビティ１１２外へ排出し、他端がベース１２４に挿通している。
【００３０】
コア１２２は、フェライト等の磁性材料により略円筒状に形成され、外周が誘導コイル１２３に巻回される。
【００３１】
誘導コイル１２３は、両端が高周波電源回路３に接続されることで高周波電流が供給され、電磁誘導により周囲に高周波電磁界を発生させる。
【００３２】
ベース１２４は、熱伝導体１２１に挿通嵌装された状態で一端側がキャビティ１１２内に挿入される。
【００３３】
そして、パワーカプラ部１２の外径は、キャビティ１１２の内径よりも若干小さく形成されており、熱伝導体１２１の内径は排気管１１３の外形よりも若干大きくなるよう形成されている。従って、パワーカプラ部１２をキャビティ１１２の内径部に嵌装させることでバルブ１１１とパワーカプラ部１２とを結合させることが出来る。
【００３４】
器具本体２は、一端側から他端側へかけて拡径されて椀型に形成された反射板２１と、反射板２１の他端側の開口に覆設される透明パネル２２とを備え、反射板２１の内面の一端側に高周波電源回路３が配設され、当該高周波電源回路３に２つの無電極放電ランプ１の各誘導コイル１２３が接続される。
【００３５】
上記構成からなる本実施形態の照明器具Ａでは、誘導コイル１２３に高周波電流を流すと誘導コイル１２３の周囲に高周波電磁界が発生する。この高周波電磁界によってバルブ１１１内にプラズマが発生し、プラズマの発生によってバルブ１１１内は高温となり、金属容器１１８内の水銀が気化してバルブ１１１内に放出され、電子が水銀原子と衝突することで水銀原子が紫外線を放射する。この紫外線がバルブ１１１の内面に塗布された蛍光体膜１１５によって可視光線に変換されてバルブ１１１を透過して外部に放出されることで無電極放電ランプ１は点灯する。
【００３６】
また、誘導コイル１２３で発生した熱が、熱伝導体１２１を介してキャビティ１１２外へ放熱されるため、熱伝導体１２１は誘導コイル１２３と対向する位置が最も高温となりキャビティ１１２の開口側に向かうに従い低温となる。そのため、熱伝導体１２１に挿通する排気管１１３の管内においても、誘導コイル１２３と対向する位置が最も高温となり、先端側に向かうに従い低温となる。
【００３７】
ここで、バルブ１１１内の水銀蒸気圧は、金属容器１１８内に収納されている放電媒体１１７の温度によって決まる。放電媒体１１７として用いられているアマルガムは、生水銀と比較して、広い温度範囲で水銀蒸気圧の変化が小さいことが特徴であるが、周囲温度が極端に低い場合には、システム全体の温度が低下するため放電媒体１１７の温度も同様に低下して所望の水銀蒸気圧を得ることができず、水銀の励起確率が減り発光効率が低下する。また、周囲温度が極端に高い場合にも、システム全体の温度が上昇するため放電媒体１１７の温度も同様に上昇して所望の水銀蒸気圧を得ることができないため、水銀の励起確率が減り発光効率が低下する。従って図３の曲線Ｌ１に示すように、周囲温度に対する発光効率が２５度の時にピークとなる無電極放電ランプ１を１つの器具本体２に複数設けたとしても、周囲温度が２５度よりも極端に高い場合及び、極端に低い場合には、各無電極放電ランプ１の発光効率が低下してしまうため照明器具Ａ全体として発光効率が低下する。
【００３８】
そこで、本実施形態では、図１に示すように各ランプにおいて、放電媒体１１７を挟みこんでいる２つのガラスロッド１１６の配置を異なる位置にすることで、各ランプの周囲温度に対する発光効率を異なるものとしており、排気管１１３内の誘導コイル１２３と略対向する位置に放電媒体１１７を設けた無電極放電ランプ１Ａと、排気管１１３の先端側に放電媒体１１７を設けた無電極放電ランプ１Ｂとを１つの器具本体２内に設けている。以下、無電極放電ランプ１Ａ、１Ｂを区別しないときは、無電極放電ランプ１と称する。
【００３９】
上記構成からなる本実施形態の照明器具Ａにおいて、無電極放電ランプ１Ａは、放電媒体１１７の配置が誘導コイル１２３近傍であるため、周囲温度が低温である時であっても熱伝導体１２１を介して誘導コイル１２３の熱が伝わることによって、放電媒体１１７の発光効率が高くなる温度に温められて所望の水銀蒸気圧を得ることができ、図４の曲線Ｌ
２で示されるように、発光効率が低温時には高く、高温時には低いものとなる。
【００４０】
また、無電極放電ランプ１Ｂは、放電媒体１１７の配置が誘導コイル１２３から離れた排気管１１３の先端側に配置されているため、放電媒体１１７は誘導コイル１２３で発生する熱の影響を受け難く、周囲温度が高温である場合であっても放電媒体１１７の発光効率が高くなる温度以上になることが抑えられて所望の水銀蒸気圧を保つことができ、図４の曲線Ｌ３で示されるように、発光効率が低温時には低く、高温時には高いものとなる。
【００４１】
つまり、無電極放電ランプ１Ａ、１Ｂにそれぞれ設けられている放電媒体１１７は、ランプ点灯時に各ランプにおいて温度の異なる位置に設けられているため、周囲温度に対する発光効率が各ランプで異なり、周囲温度の変化によって一方の無電極放電ランプ１の発光効率が低下しても他方の無電極放電ランプ１の発光効率が上昇することで、発光効率の低下を互いに補完することができる。
【００４２】
よって、本実施形態における照明器具Ａは、各ランプが備えるガラスロッド１１６の配置を調整して、放電媒体１１７が各ランプにおいてランプ点灯時に温度の異なる位置に設けられることで、各ランプの周囲温度に対する発光効率を容易に調整でき、照明器具全体として周囲温度の低温から高温までの広い範囲で安定して発光効率を保つことができる
なお、本実施形態では、２つの無電極放電ランプ１が１つの器具本体２に設けられているが、無電極放電ランプ１の数はこれに限定されず、３個以上の無電極放電ランプ１が１つの器具本体２に設けられている場合であっても、各無電極放電ランプ１が備える放電媒体１１７の内の少なくとも１つを、ランプ点灯時に他の無電極放電ランプ１に設けられた放電媒体１１７とは温度の異なる位置に設けることで、照明器具全体として安定した発光効率を保つことができる。
【００４３】
また、図５（ａ）（ｂ）に示すような、内壁に蛍光体５２が塗布された直管型のバルブ５１及び、バルブ５１内の端部近傍に設けられるフィラメント５３及び、フィラメント５３を支持すると共に図示しない電源回路と接続される電源端子５４及び、バルブ５１の端部表面からバルブ内へ向けて形成されるキャビティ５５及び、キャビティ５５の底面５５ａからキャビティ５５の開口側へ向けて形成される排気管５６及び、排気管５６内に収納される放電媒体５７からなり、放電媒体５７が排気管５６の先端側に配置された有極放電蛍光ランプ５Ａと，放電媒体５７が排気管５６の付け根側に配置された有極放電蛍光ランプ５Ｂとを図示しない１つの器具本体内に備える照明器具がある。
【００４４】
有極放電蛍光ランプ５Ａの備える放電媒体５７は、フィラメント５３から離れた位置に設けられていることからフィラメント５３で発生する熱の影響を受け難く、有極放電蛍光ランプ５Ｂの備える放電媒体５７は、フィラメント５３に近い位置に設けられていることからフィラメント５３で発生する熱の影響を受け易い。つまり、有極放電蛍光ランプ５Ａ，５Ｂに各々設けられている放電媒体５７は、ランプ点灯時にそれぞれ温度の異なる位置に設けられている。
【００４５】
そのため、有極放電蛍光ランプ５Ａ，５Ｂについても、上記無電極放電ランプ１の場合と同様に周囲温度の変化に対して照明器具全体として安定した発光効率を保つことができる。以下、有極放電蛍光ランプ５Ａ，５Ｂを区別しないときは、有極放電蛍光ランプ５と称す。
【００４６】
また、１つの器具本体内に、複数の有極放電蛍光ランプ５が設けられる場合には、各有極放電蛍光ランプ５に設けられた前記放電媒体５７の内の少なくとも１つが、他の有極放電蛍光ランプ５に設けられた放電媒体５７とは点灯時に温度の異なる位置に設けられていればよい。
【００４７】
（実施形態２）
実施形態１では、各ランプに設けられる放電媒体の種類が同じであったが、本実施形態では、各ランプに設けられる放電媒体の種類が異なっている。なお、実施形態１と共通する構造については、共通の符号を付して説明を省略する。
【００４８】
まず、図６に示すように、有極放電蛍光ランプ５に、放電媒体５７としてインジウムー水銀からなるアマルガムが設けられた場合には、曲線Ｌ４で示されるように周囲温度に対する発光効率が、低温時には低く高温時には高いものとなる。また、放電媒体５７として鉛―ビスマスースズー水銀からなるアマルガムが設けられた場合には、曲線Ｌ５で示されるように周囲温度に対する発光効率が、低温時には高く高温時には低いものとなる。
【００４９】
また、実施形態１で示したように、ランプ内において高温となる箇所に放電媒体５７を設けた場合には、周囲温度に対する発光効率が低温時には高く高温時には低いものとなり、ランプ内において低温となる箇所に放電媒体５７を設けた場合には、周囲温度に対する発光効率が、低温時には低く高温時には高いものとなる。
【００５０】
すなわち、ランプ点灯時に他のランプに設けられた放電媒体５７よりも低温となる箇所に放電媒体５７が設けられるランプについては、放電媒体５７を低温側で高い発光効率を示すものに変更することで、周囲温度に対する発光効率の特性を低温側にシフトさせることができる。また、ランプ点灯時に他のランプに設けられた放電媒体５７よりも高温となる箇所に放電媒体５７が設けられるランプについては、放電媒体５７を高温側で高い発光効率を示すものに変更することで、周囲温度に対する発光効率の特性を高温側にシフトさせることができる。
【００５１】
従って、周囲温度に対する発光効率の特性が、高温側にシフトされたランプ及び低温側にシフトされたランプをそれぞれ少なくとも１つ以上、１つの器具本体に備えた照明器具では、周囲温度の変動に対して低温から高温までのより広い範囲で安定して発光効率を保つことが出来る。
【００５２】
具体的には、図５（ａ）に示すように、放電媒体５７がランプ点灯時に温度の低い位置に設けられ、周囲温度が低温の場合に高い発光効率を示す有極放電蛍光ランプ５Ａにおいて、放電媒体５７を低温時に発光効率の高い鉛―ビスマスースズー水銀からなるアマルガムに変更することで、発光効率の特性を低温側にシフトすることができる。また、図５（ｂ）に示すように、放電媒体５７がランプ点灯時に温度の高い位置に設けられ、周囲温度が高温の場合に高い発光効率を示す有極放電蛍光ランプ５Ｂにおいて、放電媒体５７を高温時に発光効率の高いインジウムー水銀からなるアマルガムに変更することで、発光効率の特性を高温側にシフトすることができる。
【００５３】
よって、１つの器具本体に有極放電蛍光ランプ５Ａ，５Ｂを備える照明器具においては、有極放電ランプ５Ａ，５Ｂに互いに種類の異なる放電媒体５７をそれぞれ設けることで、周囲温度の低温から高温までのより広い範囲で安定して発光効率を保つことができる。
【００５４】
なお、本実施形態では、１つの器具本体に２つの有極放電蛍光ランプ５を設けているが、有極放電蛍光ランプ５の数はこれに限定されず、３個以上の有極放電蛍光ランプ５が１つの器具本体２に設けられていてもよい。
【００５５】
更に、本実施形態では、放電媒体５７としてインジウムー水銀からなるアマルガムと、鉛―ビスマスースズー水銀からなるアマルガムとを用いているが、放電媒体５７の種類はこれに限定されず、使用するアマルガムの組み合わせによって所望の温度特性を得ることができる。
【００５６】
また、本実施形態では、有極放電蛍光ランプ５について説明を行ったが、実施形態１で示した無電極放電ランプ１を設けた場合についても同様の効果を得ることができる。
【００５７】
（実施形態３）
実施形態１では、各ランプに設けられる放電媒体の種類が同じであったが、本実施形態では、各ランプに設けられる放電媒体の種類が異なっている。なお、実施形態１と共通する構造については、共通の符号を付して説明を省略する。
【００５８】
まず、図７に示すように、有極放電蛍光ランプ５に、放電媒体５７としてビスマスーインジウムー水銀からなるアマルガムが設けられた場合には、曲線Ｌ６で示されるように周囲温度に対する発光効率が、低温時には低く高温時には高いものとなる。また、放電媒体５７として純水銀からなるアマルガムが設けられた場合には、曲線Ｌ７で示されるように周囲温度に対する発光効率が、低温時には高く高温時には低いものとなる。
【００５９】
また、実施形態１で示したように、ランプ内において高温となる箇所に放電媒体５７を設けた場合には、周囲温度に対する発光効率が低温時には高く高温時には低いものとなり、ランプ内において低温となる箇所に放電媒体５７を設けた場合には、周囲温度に対する発光効率が、低温時には低く高温時には高いものとなる。
【００６０】
すなわち、ランプ点灯時に他のランプに設けられた放電媒体５７よりも低温となる箇所に放電媒体５７が設けられるランプについては、放電媒体５７を低温側で高い発光効率を示すものに変更することで、周囲温度に対する発光効率の特性を低温側にシフトさせることができ、ランプ点灯時に他のランプに設けられた放電媒体５７よりも高温となる箇所に放電媒体５７が設けられるランプについては、放電媒体５７を高温側で高い発光効率を示すものに変更することで、周囲温度に対する発光効率の特性を高温側にシフトさせることができる。
【００６１】
従って、周囲温度に対する発光効率の特性が、高温側にシフトされたランプ及び低温側にシフトされたランプをそれぞれ少なくとも１つ以上、１つの器具本体に備えた照明器具では、周囲温度の変動に対して低温から高温までのより広い範囲で安定して発光効率を保つことが出来る。
【００６２】
具体的には、図５（ａ）に示すように、放電媒体５７がランプ点灯時に温度の低い位置に設けられ、周囲温度が低温の場合に高い発光効率を示す有極放電蛍光ランプ５Ａにおいて、放電媒体５７を低温時に発光効率の高い純水銀からなるアマルガムに変更することで、発光効率の特性を低温側にシフトすることができる。また、図５（ｂ）に示すように、放電媒体５７がランプ点灯時に温度の高い位置に設けられ、周囲温度が高温の場合に高い発光効率を示す有極放電蛍光ランプ５Ｂにおいて、放電媒体５７を高温時に発光効率の高いビスマスーインジウムー水銀からなるアマルガムに変更することで、発光効率の特性を高温側にシフトすることができる。
【００６３】
よって、１つの器具本体に有極放電蛍光ランプ５Ａ，５Ｂを備える照明器具においては、有極放電ランプ５Ａ，５Ｂに互いに種類の異なる放電媒体５７をそれぞれ設けることで、周囲温度の低温から高温までのより広い範囲で安定して発光効率を保つことができる。
【００６４】
なお、本実施形態では、１つの器具本体に２つの有極放電蛍光ランプ５を設けているが、有極放電蛍光ランプ５の数はこれに限定されず、３個以上の有極放電蛍光ランプ５が１つの器具本体２に設けられていてもよい。
【００６５】
更に、本実施形態では、他のランプの放電媒体５７よりも温度の高い箇所に設けられる放電媒体５７としてビスマスーインジウムー水銀からなるアマルガムが用いられているが、当該アマルガムの種類はこれに限定されず、使用するアマルガムの種類によって所望の温度特性を得ることができる。
【００６６】
また、本実施形態では、有極放電蛍光ランプ５について説明を行ったが、実施形態１で示した無電極放電ランプ１を設けた場合についても同様の効果を得ることができる。
【００６７】
加えて、２つの有極放電蛍光ランプ５の内の一方の放電媒体５７として純水銀を用いていることで、２つの有極放電蛍光ランプ５の両方に放電媒体５７として水銀と金属との合金であるアマルガム用いた場合と比べて良好な光の立ち上がり特性を得ることができる。
【図面の簡単な説明】
【００６８】
【図１】本発明の実施形態１で用いられる照明器具の概略図を示す。
【図２】同上における無電極放電灯の断面概略図である。
【図３】同上のおける照明器具の各ランプにおいて、周囲温度の等しい箇所に放電媒体が配置された場合の周囲温度に対する発光効率を示す。
【図４】同上における照明器具の各ランプにおいて、周囲温度の異なる箇所に放電媒体が配置された場合の周囲温度に対する発光効率を示す。
【図５】（ａ）（ｂ）は、本発明の実施形態１で用いられる有極放電蛍光ランプの断面概略図を示し、（ａ）は、放電媒体がフィラメントから離れた位置に配置された場合、（ｂ）は、放電媒体がフィラメントに近い位置に配置された場合を示す。
【図６】本発明の実施形態２における照明器具において、放電媒体の種類が異なる２つの無電極放電ランプの周囲温度に対する発光効率を示す。
【図７】本発明の実施形態３における照明器具において、放電媒体の種類が異なる２つの無電極放電ランプの周囲温度に対する発光効率を示す。
【符号の説明】
【００６９】
１Ａ，１Ｂ  無電極放電ランプ
３  高周波電源回路
１１１  バルブ
１１２  キャビティ
１１３  排気管
１１７  放電媒体
１２１  熱伝導体
１２３  誘導コイル
【図１】
2010123456.tif 000003
【図２】
2010123456.tif 000004
【図３】
2010123456.tif 000005
【図４】
2010123456.tif 000006
【図５】
2010123456.tif 000007
【図６】
2010123456.tif 000008
【図７】
2010123456.tif 000009